(57)【要約】【課題】照度補正機能を備えた照明装置において、累積点灯時間をリセットするためのリセット手段を他の機能を実現する手段と兼用することで、容易かつ安価に他の機能を選択できる照明装置を提供する。【解決手段】放電灯を所定の調光比で点灯させる点灯手段と；放電灯の累積点灯時間を計時し、累積点灯時間に応じて減少する前記放電灯の光束を補うように、前記累積点灯時間に応じて前記調光比を制御する照度補正手段と；前記累積点灯時間をリセットするためのリセット手段と；前記照度補正手段の使用の可否を選択するための機能選択手段と；を具備し、前記機能選択手段は前記リセット手段と兼用した。また、累積点灯時間が放電灯の定格寿命に達した旨を報知させるための報知手段を機能させるための手段を前記リセット手段と兼用しても良い。【選択図】図１
2006294383.tif 000002
【特許請求の範囲】
【請求項１】
放電灯を所定の調光比で点灯させる点灯手段と；
放電灯の累積点灯時間を計時し、累積点灯時間に応じて減少する前記放電灯の光束を補うように、前記累積点灯時間に応じて前記調光比を制御する照度補正手段と；
前記累積点灯時間をリセットするためのリセット手段と；
前記照度補正手段の使用の可否を選択するための機能選択手段と；
を具備し、前記機能選択手段は前記リセット手段と兼用したことを特徴とする照明装置。
【請求項２】
放電灯を所定の調光比で点灯させる点灯手段と；
放電灯の累積点灯時間を計時し、累積点灯時間に応じて減少する前記放電灯の光束を補うように、前記累積点灯時間に応じて前記調光比を制御する照度補正手段と；
前記累積点灯時間をリセットするためのリセット手段と；
前記累積点灯時間が放電灯の定格寿命に達した旨を報知させるための報知手段と；
を具備し、前記報知手段を機能させるための手段は前記リセット手段と兼用したことを特徴とする照明装置。
【請求項３】
放電灯を所定の調光比で点灯させる点灯手段と；
放電灯の累積点灯時間を計時し、累積点灯時間に応じて減少する前記放電灯の光束を補うように、前記累積点灯時間に応じて前記調光比を制御する照度補正手段と；
前記累積点灯時間をリセットするためのリセット手段と；
前記点灯手段の総使用時間が寿命時間に達した旨を報知させるための報知手段と；
を具備し、前記報知手段を機能させるための手段は前記リセット手段と兼用したことを特徴とする照明装置。
【請求項４】
放電灯を所定の調光比で点灯させる点灯手段と；
放電灯の累積点灯時間を計時し、累積点灯時間に応じて減少する前記放電灯の光束を補うように、前記累積点灯時間に応じて前記調光比を制御する照度補正手段と；
前記累積点灯時間をリセットするためのリセット手段と；
前記照度補正手段の補正特性を選択するための選択手段と；
を具備し、前記選択手段は前記リセット手段と兼用したことを特徴とする照明装置。
【請求項５】
請求項１〜４のいずれかに記載の照明装置と放電灯を具備することを特徴とする照明器具。
【発明の詳細な説明】
【技術分野】
【０００１】
本発明は、放電灯の累積点灯時間に応じて減少する放電灯の光束を補うように放電灯を調光点灯する照明装置及びこれを用いた照明器具に関するものである。
【背景技術】
【０００２】
一般に照明用として用いられている放電灯の光束は使用開始直後は定格よりも高く、その後、徐々に低下していくことが知られており、図１３（ａ）に示すように、放電灯の累積点灯時間の経過と共に光束が低下する。この累積点灯時間の経過に伴う光束減退を抑制する技術として、初期照度補正と呼ばれるものがある。これは図１３（ｂ）に示すように、放電灯の点灯初期における余分な光束を抑え、累積点灯時間に伴う放電灯の光束減退を補うように徐々に照明装置の出力を上げていくことにより、図１３（ｃ）に示すように、常に放電灯の光束ならびに下面照度を略一定に保つものである。この機能は、放電灯点灯初期は照明装置の出力を抑えている分、省エネを図る目的にも利用することができる。
【０００３】
この初期照度補正機能を実現するために、照明装置は放電灯の累積点灯時間をカウントする計時手段と、計時した時間を記憶する記憶手段とを備えている。計時した累積点灯時間を随時記憶し、電源投入時には記憶していた累積点灯時間より計時を再開し、累積点灯時間を参照することで所定の調光比で放電灯を点灯する。
【０００４】
特許文献１（特開２００１−１５２７６号公報）には、この技術を用いた照明装置が開示されている。図１２にそのブロック図を示す。放電灯２１は調光制御が可能な放電灯点灯装置Ｂの出力によって点灯する。商用電源Ｅと放電灯点灯装置Ｂとの間には放電灯点灯装置Ｂに通電されているか否かを検出する点灯時間検出部Ｋが設けられており、点灯時間検出部Ｋによって検出された通電時間を放電灯の点灯時間として、点灯時間タイマーＴにより計時するようになっている。また、照明装置には点灯時間タイマーＴに計時された時間に応じて出力を制御する照度補正装置Ｈが設けられている。ここで、照度補正装置Ｈは放電灯２１の使用時間の経過に伴う光束の低下を補正するように構成されているものであって、放電灯点灯開始直後は調光点灯させておき、放電灯の使用時間の経過に伴って徐々に出力を上げていくように、放電灯点灯装置Ｂを介して放電灯２１への供給電力を制御するものである。ここで、照度補正装置Ｈは点灯時間タイマーＴとともにマイコンにより構成される。このマイコンには点灯時間タイマーＴによる計時時間を読み書きするとともに照度補正装置Ｈにおいて用いる補正用テーブルを格納した不揮発性メモリＭが内蔵または外付けされている。補正用テーブルは放電灯２１の使用時間と補正用の調光比とを対応付けしたテーブルであって、点灯時間タイマーＴにより計時された時間を読み出して不揮発性メモリＭから調光比を読み出し、放電灯点灯装置Ｂに制御信号を伝達することで照度を略一定に保つことができる。
【０００５】
また、この初期照度補正技術（タイマーによるセルフコントロール）を用いた商品として、例えば松下電工製（ＨＥＳＸ３２ＨＦ２１／２４ＨＫ−１ＥＦＨ：以降タイマーセルコンと言う）などが販売されている。図１４にタイマーセルコンを表すブロック図を示す。図１４では商用電源Ｅにダイオードブリッジ１１が接続されており、ダイオードブリッジ１１は昇圧チョッパ回路よりなる電源回路１２に接続され、交流の電源電圧が直流に変換される。昇圧チョッパ回路はインバータ回路１３に接続されており、直流電圧がインバータ回路１３のスイッチング素子によって高周波でスイッチングされることにより高周波の電圧に変換され、放電灯２１に電力が供給される。また、インバータ回路１３の各スイッチング素子はインバータ制御回路１４に接続されており、インバータ制御回路１４からのドライブ信号によって高周波で駆動される。さらにインバータ制御回路１４にはマイコン及びＥＥＰＲＯＭ等の記憶手段及び発振器等の計時手段から成る照度設定部１５が接続されている。照度設定部１５では計時手段により計時した時間をもとにして記憶手段から読み出した点灯時間に応じた最適な調光比を生成し、それをインバータ制御回路１４に伝達することで、インバータ制御回路１４はインバータ回路１３のスイッチング周波数を可変させることにより放電灯２１に最適な電力を供給している。また、照度設定部１５には放電灯交換時に照度設定部１５内部にある記憶手段に書き込まれている累積点灯時間をリセットするための手段であるリセットスイッチ２２とＤＩＰスイッチ２３が接続されている。ここで、ＤＩＰスイッチ２３は明るさの切り替えをするものであって、ＤＩＰスイッチ２３を切替えることによって、フル点灯、８０％点灯、７０％点灯、６０％点灯を切替えることができる。また、リセットスイッチ２２を所定時間以上押し続けることにより、累積点灯時間がリセットされる。
【０００６】
また、特許文献２（特開２０００−２２３２９５号公報）には、初期照度補正機能を備えた照明装置において、放電灯の寿命を報知する事例が開示されている。一般に放電灯のフィラメントには電子が飛びやすくするためにエミッタと呼ばれる化合物が塗布されており、このエミッタが点灯時間の経過とともに減少していくことにより寿命を迎えることとなる。本例においては、照明装置内部に放電灯の累積点灯時間を計時する計時手段と、計時した累積点灯時間を記録する不揮発性メモリとを備えており、前記不揮発性メモリの累積点灯時間を参照して放電灯の光出力が略一定となるように制御する照明装置を前提としている。そして、照明装置内部には不揮発性メモリの累積点灯時間が予め定めた寿命基準値に達した以降に放電灯を点灯させた場合、一時的に強制的に明暗を繰り返す変動点灯モードに移行させるための変動点灯手段を備えることを特徴としており、使用者に放電灯の寿命を報知するものである。
【０００７】
また、特許文献３（特開２００１−１８５３７４号公報）には、照明装置において、照明装置そのものの寿命を報知する事例が開示されている。一般に放電灯を点灯させるためには照明装置が用いられるが、最近の照明装置は交流の電源電圧を直流に変換し、高周波の電圧を放電灯に印加して点灯させる電子式が主流となってきている。この電子式照明装置の場合、照明装置内部には整流器や高周波発生用のスイッチング素子、平滑用の電解コンデンサなどの電子部品が多数配設されている。そのため、電子部品が寿命に到達した場合、放電灯の不点等の不具合が発生する可能性が高い。一般に照明装置の寿命は電解コンデンサの寿命で決まることが多く、累積使用時間が経過するに伴って電解コンデンサの容量が減少していくことにより不具合が発生することが多い。そこで、初めて照明装置を動作し始めてからの点灯時間の総和を累積使用時間としてカウントし、このカウントされた照明装置の累積使用時間が予め設定した設定値を超えた場合には、照明装置の寿命に到達したものと判定し、出力低減・停止などの保護動作を行うと共に、表示装置によってその旨を外部に報知する。
【特許文献１】特開２００１−１５２７６号公報
【特許文献２】特開２０００−２２３２９５号公報
【特許文献３】特開２００１−１８５３７４号公報
【発明の開示】
【発明が解決しようとする課題】
【０００８】
初期照度補正機能を備えた放電灯点灯装置は、放電灯点灯初期の光束を抑えて動作させるため、使用者によってはこの状態を暗く感じ、照度補正機能を好まない場合もあり得る。また、設置場所のレイアウト変更等により、設置後に照度設定を変更したい場合もあり得る。さらに、放電灯によって図１３（ａ）に示した光束減退曲線が異なるため、例えばＦＨＦ３２を接続していた照明器具にＦＬＲ４０をそのまま接続した場合、ＦＬＲ４０の光束減退はＦＨＦ３２のそれより大きいにもかかわらず、ＦＨＦ３２の光束減退を補うように照明装置の出力は変化するため、適正な初期照度補正動作を行うことができない。具体的には、光束ならびに下面照度が徐々に低下することになる。このため照明器具に接続された負荷に応じた照度補正カーブを選択できるように切替える手段が必要となってしまう。
【０００９】
特許文献２の場合、ＤＩＰスイッチを切替えることにより、フル点灯や照度設定の変更が可能であるが、施工後に変更する場合には、一旦放電灯と反射板を器具本体から取り外さなくてはならず、ＤＩＰスイッチの変更には大幅な手間と時間をかけてしまうことになってしまう。また、特許文献２，３における寿命報知は計時した累積時間が、予め定めた或る寿命基準値を超えると、強制的に放電灯の明暗動作や表示装置の点灯といった寿命報知動作を行うため、使用者によっては放電灯を交換するまでの間、毎回不快に感じるかもしれない。
【００１０】
本発明はこのような点に鑑みてなされたものであり、照度補正機能を備えた照明装置において、累積点灯時間をリセットするためのリセット手段を他の機能を実現する手段と兼用することで、容易かつ安価に他の機能を選択できる照明装置を提供することを課題とするものである。
【課題を解決するための手段】
【００１１】
請求項１の照明装置は、放電灯を所定の調光比で点灯させる点灯手段と；放電灯の累積点灯時間を計時し、累積点灯時間に応じて減少する前記放電灯の光束を補うように、前記累積点灯時間に応じて前記調光比を制御する照度補正手段と；前記累積点灯時間をリセットするためのリセット手段と；前記照度補正手段の使用の可否を選択するための機能選択手段と；を具備し、前記機能選択手段は前記リセット手段と兼用したことを特徴とする。
【００１２】
請求項２の照明装置は、放電灯を所定の調光比で点灯させる点灯手段と；放電灯の累積点灯時間を計時し、累積点灯時間に応じて減少する前記放電灯の光束を補うように、前記累積点灯時間に応じて前記調光比を制御する照度補正手段と；前記累積点灯時間をリセットするためのリセット手段と；前記累積点灯時間が放電灯の定格寿命に達した旨を報知させるための報知手段と；を具備し、前記報知手段を機能させるための手段は前記リセット手段と兼用したことを特徴とする。
【００１３】
請求項３の照明装置は、放電灯を所定の調光比で点灯させる点灯手段と；放電灯の累積点灯時間を計時し、累積点灯時間に応じて減少する前記放電灯の光束を補うように、前記累積点灯時間に応じて前記調光比を制御する照度補正手段と；前記累積点灯時間をリセットするためのリセット手段と；前記点灯手段の総使用時間が寿命時間に達した旨を報知させるための報知手段と；を具備し、前記報知手段を機能させるための手段は前記リセット手段と兼用したことを特徴とする。
【００１４】
請求項４の照明装置は、放電灯を所定の調光比で点灯させる点灯手段と；放電灯の累積点灯時間を計時し、累積点灯時間に応じて減少する前記放電灯の光束を補うように、前記累積点灯時間に応じて前記調光比を制御する照度補正手段と；前記累積点灯時間をリセットするためのリセット手段と；前記照度補正手段の補正特性を選択するための選択手段と；を具備し、前記選択手段は前記リセット手段と兼用したことを特徴とする。
請求項５の照明器具は、請求項１〜４のいずれかに記載の照明装置と放電灯を具備することを特徴とする。
【発明の効果】
【００１５】
本発明は、初期照度補正機能を備えた照明装置において、累積点灯時間のリセット手段を、他の機能を実現するための手段と兼用することにより、従来の初期照度補正機能を備えた照明装置と変わらない構造とコストで、簡単に他の機能を実現することができる照明装置を提供することができる。
【００１６】
請求項１の発明によれば、照度補正手段の使用の可否を選択するための機能選択手段を、累積点灯時間のリセット手段と兼用したので、使用者はリセット手段でもって、初期照度補正機能を止めたい時に、容易に単出力機能に変更することが可能となる。
【００１７】
請求項２の発明によれば、累積点灯時間が放電灯の定格寿命に達した旨を報知させるための報知手段を機能させるための手段を、累積点灯時間のリセット手段と兼用したので、使用者はリセット手段でもって、任意に放電灯の定格寿命を知ることができ、放電灯の交換を促すことができる。また、強制的に報知しないので、使用者に不快感を与えることもない。
【００１８】
請求項３の発明によれば、前記点灯手段の総使用時間が寿命時間に達した旨を報知させるための報知手段を機能させるための手段を、累積点灯時間のリセット手段と兼用したので、使用者はリセット手段でもって、任意に照明装置の寿命を知ることができ、照明装置の交換を促すことができる。
【００１９】
請求項４の発明によれば、前記照度補正手段の補正特性を選択するための選択手段を、累積点灯時間のリセット手段と兼用したので、施工された後に設定照度を変更したい場合や、放電灯交換時に放電灯の種類も変える場合に、使用者はリセット手段でもって、補正特性を容易に選択することが可能となる。
【発明を実施するための最良の形態】
【００２０】
（実施形態１）
本発明の実施形態１に係る照明装置の構成を図１のブロック図に示す。照明装置１０は、ダイオードブリッジ１１、電源回路１２、インバータ回路１３、インバータ制御回路１４、照度設定部１５により構成されており、照明器具２０は前記照明装置１０に加えて放電灯２１とリセットスイッチ２２を具備している。
【００２１】
電源電圧Ｅはダイオードブリッジ１１によって全波整流された後、例えば昇圧チョッパ回路のような電源回路１２によって直流電圧に変換される。ここで、インバータ回路１３は例えばハーフブリッジ型インバータ回路であって、回路中に具備されているＭＯＳＦＥＴのようなスイッチング素子をインバータ制御回路１４からのドライブ信号によって高周波で駆動させることにより、直流電圧は高周波電圧に変換され、放電灯２１に高周波電力が供給されることになる。
【００２２】
また、電源電圧Ｅは照度設定部１５にも入力されており、電源通電時間を放電灯２１の累積点灯時間として計時する。具体的には、照度設定部１５はマイクロコンピュータ（以下、マイコンという）及びＥＥＰＲＯＭのような記憶装置により構成されており、電源投入後、マイコンを動作させるためのクロックを利用して累積点灯時間を計時し、記憶装置に書き込んでいく。ここで、累積点灯時間に対応した調光比は予めマイコンに設定されており、マイコンが自身で計時する累積点灯時間を参照して調光比を取得し、インバータ制御回路１４に最適な制御信号を出力する。インバータ制御回路１４は制御信号を受けてスイッチング素子の駆動周波数を変化させることにより、放電灯２１へ最適な電力を供給することができる。ここで、計時した累積点灯時間は随時記憶装置に記憶させ、電源が遮断された場合でも、それまでの累積点灯時間が保持されるようになっている。電源再投入後は記憶装置から累積点灯時間を読み出し、この時間から計時を再開する。
【００２３】
照度設定部１５には放電灯を交換した場合に手動で累積点灯時間をリセットするための手段として、リセットスイッチ２２が接続されており、照度設定部１５はリセットスイッチ２２の状態を監視しており、リセットスイッチ２２に所定のリセット操作が行われると、それまで計時してきた累積点灯時間をリセットして、照度設定部１５内部の記憶装置に記憶する。リセット操作としては、例えばリセットスイッチ２２を２秒間ＯＮすることで、リセットするような形態でよい。
【００２４】
初期照度補正機能は、累積点灯時間の増加に従って減退する放電灯２１の光束を補うように放電灯２１の調光比を漸次上げていくものであり、例えば、累積点灯時間０の時の調光比（以下、初期調光比）を７０％とすると、照度設定部１５は累積点灯時間を計時および記憶しながら、累積点灯時間の増加に従ってインバータ回路１３が放電灯２１へ供給する電力を上げていくよう制御する。具体的には、累積点灯時間が所定の値に達した時に、調光比を所定の値だけ上げるような制御信号をインバータ制御回路１４に送る。制御信号はＰＷＭ信号であり、そのデューティ比を変化させることで、インバータ回路１３が放電灯２１へ供給する電力を変化させている。マイコンは、累積点灯時間と制御信号のデューティ比とを対応付けたデータテーブルを有し、自身で計時する累積点灯時間からデータテーブルを参照して得られたデューティ比のＰＷＭ信号をインバータ制御回路１４へ出力する。結果として、調光比は初期の７０％から漸次上がっていくが、光出力としては略一定に保つことができる。なお、初期調光比は７０％に限るものではない。
【００２５】
上述の通り、初期照度補正機能は初期の調光比を抑えるものであることから、使用者がこの機能を不要にしたいと感じることもある。その際、本実施形態では、予め初期照度補正機能を機能させない動作、つまり、累積点灯時間の計時も記憶も行わず、単出力点灯する動作を行うことも選択できるようになっている。そして、その選択手段としてリセットスイッチ２２を用いる。
【００２６】
照明装置１０において、照度設定部１５が有するマイコンは図２に示すフローに従い、起動直後のリセットスイッチ２２の状態を監視する。つまり、初期照度補正機能を機能させる場合は、リセットスイッチ２２をＯＦＦした状態で電源電圧Ｅを供給する。初期照度補正機能を機能させない場合は、リセットスイッチ２２をＯＮした状態で電源電圧Ｅを供給する。初期照度補正機能を有効にして起動した場合、起動以降、リセットスイッチ２２は前述の累積点灯時間のリセットのためのスイッチとして機能し、スイッチをＯＮすれば累積点灯時間をリセットする。初期照度補正機能を有効にしないで起動した場合、リセットスイッチ２２は何の機能も持たない。よって、起動時にＯＮにしていたスイッチは起動後にＯＦＦにしても、あるいはずっとＯＮのままであっても、フル点灯を継続する。以上の動作を図３に示す。
【００２７】
上記では、リセットスイッチ２２を用いて、初期照度補正機能の使用を選択していたが、工場出荷時において既に初期照度補正機能が不要であることが分かっている場合は、照明器具２０はリセットスイッチ２２を具備せず、照明装置１０においてリセットスイッチ２２を接続していた端子を短絡ピン等を用いて短絡することで、リセットスイッチを常時ＯＮしている状態を作ることもできる。この場合、リセットスイッチそのものが不要になるので、照明器具をさらに安価にすることが可能となる。
【００２８】
（実施形態２）
本発明の実施形態２に係る照明装置の構成を示すブロック図、各部の動作、および初期照度補正機能についての説明は、実施形態１と同様であるので重複する説明は省略する。
【００２９】
実施形態１においては、初期調光比を７０％としたが、用途によっては、これより暗い設定とすることでさらなる省エネを図ったり、あるいはこれより明るい設定とすることで下面照度を明るくしたいといった要望が考えられる。本実施形態は、これらの設定を予め照度設定部１５が有しており、リセットスイッチ２２を用いて、その設定を使用者が簡単に選択できるようにする。
【００３０】
照明装置１０において、照度設定部１５は図４に示すフローに従う。照度設定部１５のデフォルトの設定、つまり工場出荷時の設定は、初期調光比７０％である。この照明装置１０で使用していた使用者が、現在の設定での下面照度を暗く感じた時、使用者は照明器具２０に具備されているリセットスイッチ２２を２秒未満でＯＮすることで、初期調光比を７０％設定から８０％設定に変更できる。この変更操作を再度行うことにより６０％設定に変更でき、さらに再度行うことで７０％設定に戻すことができる。つまり、この操作を行うたびに、７０％→８０％→６０％→７０％と順に初期調光比設定を変更することができる。以上の動作を図５に示す。
【００３１】
照度設定部１５は、実施形態１で示したデータテーブルを初期調光比設定が７０％用、８０％用、６０％用と３種類有しており、累積点灯時間を参照してインバータ制御回路１４へ出力している制御信号のデューティ比を決定するためのデータテーブルを、初期調光比設定に応じて切り替える。変更した設定は照度設定部１５内の記憶装置で、累積点灯時間と同様に記憶し、電源再投入後は変更された設定で動作する。
【００３２】
前記変更操作は、実施形態１で示した累積点灯時間をリセットするための操作（２秒間ＯＮ）と明確に区別することができる。照度設定部１５では、リセットスイッチ２２のＯＮを検出してからＯＦＦされるまでの時間を計測し、この時間が２秒未満であれば初期調光比の変更を行い、２秒に達すれば累積点灯時間をリセットする。２秒に達した場合は、初期調光比の変更は行わない。
【００３３】
さらに、初期調光比変更のための２秒未満のスイッチＯＮ操作を、１秒以上２秒未満のスイッチＯＮ操作とすれば、ノイズと区別することができるので、ノイズによる誤動作、この場合、初期調光比の設定が勝手に変更されるといった誤動作を回避することが可能となる。
【００３４】
以上の説明において、初期調光比の設定は上記３種類に限るものではない。また、初期調光比の変更と累積点灯時間のリセットの判別閾値となる値も、２秒に限るものではない。
【００３５】
（実施形態３）
本実施形態は、実施形態２において、照度設定部１５が初期調光比設定毎で有していたデータテーブルを、放電灯の種類毎に有するようにしたものである。
【００３６】
実施形態２における照度設定部１５のフローは図６のようになる。照度設定部１５のデフォルトの設定、つまり工場出荷時の設定の放電灯の種類はＦＨＦ３２である。この放電灯を用いて照明装置１０を使用していた使用者が、光束減退が異なる放電灯ＦＬＲ４０を新たに用いる場合、現在の設定のままでは初期照度補正機能が正しく機能しない。具体的には、ＦＬＲ４０はＦＨＦ３２に比べて光束減退が大きいため、ＦＨＦ３２での設定で使用すると、累積点灯時間が増加するに従って、下面照度が暗くなっていく。このような場合、使用者は照明器具２０に具備されているリセットスイッチ２２を２秒未満でＯＮすることで、放電灯種類の設定をＦＨＦ３２からＦＬＲ４０に変更できる。この変更操作を再度行うことによりＦＨＦ３２設定に戻すことができる。つまり、この操作を行うたびに、ＦＨＦ３２→ＦＬＲ４０→ＦＨＦ３２と交互に放電灯種類の設定を変更することができる。以上の動作を図７に示す。
【００３７】
照度設定部１５は、データテーブルをＦＨＦ３２用、ＦＬＲ４０用と２種類有しており、累積点灯時間を参照してインバータ制御回路１４へ出力している制御信号のデューティ比を決定するためのデータテーブルを、放電灯種類設定に応じて切り替える。変更した設定は照度設定部１５内の記憶装置で、累積点灯時間と同様に記憶し、電源再投入後は変更された設定で動作する。なお、放電灯種類の設定は上記２種類に限るものではない。
【００３８】
（実施形態４）
本発明の実施形態４に係る照明装置の構成を示すブロック図、各部の動作、および初期照度補正機能についての説明は、実施形態１と同様であるので説明を省略する。
【００３９】
照度設定部１５は、初期照度補正機能における累積点灯時間の計時を行うと共に、累積点灯時間が所定時間以上になれば、これを報知できる状態にする。ここで、前記所定時間は放電灯の定格寿命を元に値が設定されている。また、報知は強制的に行うものではなく、使用者が所定の操作を行った時に行う。この所定の操作は、累積点灯時間のリセットと同じリセットスイッチ２２の操作であり、使用者が照明器具２０に具備されているリセットスイッチ２２を２秒未満でＯＮすることで報知する。
【００４０】
照度設定部１５は図８に示すフローに従う。照明器具が具備する放電灯はＦＨＦ３２を想定しており、この定格寿命は１２，０００時間であるので、照度設定部１５には、報知のための設定時間として、１０，０００時間と１２，０００時間が設定されているものとする。照度設定部１５は、実施形態１で示した初期照度補正動作を行い、累積点灯時間を計時している。この時間が１０，０００時間に達すると、報知Ａを行うことができる状態に入る。この時に、使用者がリセットスイッチ２２を１秒間だけＯＮすると、照度設定部１５ではリセットスイッチ２２のＯＮを検出してからＯＦＦされるまでの時間を計測し、この時間が２秒未満であるので、報知Ａの動作として照明器具２０が具備する放電灯２１を１回点滅させる。具体的には、インバータ制御回路１４へ出力している制御信号のデューティ比の所定の変化で実現される。さらに、累積点灯時間の計時が進み、１２，０００時間に達すると、報知Ｂを行うことができる状態に入る。この時に、使用者がリセットスイッチ２２を１秒間だけＯＮすると、照度設定部１５では前記と同様に、報知Ｂの動作として照明器具２０が具備する放電灯２１を２回点滅させる。以上の動作を図９に示す。報知Ａはもうすぐ放電灯の寿命であることの報知であり、報知Ｂは放電灯の寿命を超えたことの報知である。
【００４１】
使用者が前記により放電灯の寿命を認識し、新品の放電灯に交換する際には、実施形態１のように、リセットスイッチ２２を２秒間ＯＮすることで、累積点灯時間はリセットされる。累積点灯時間がリセットされた後、使用者がリセットスイッチ２２を１秒間だけＯＮしても、累積点灯時間は１０，０００時間未満であるので、何も報知されない。
【００４２】
以上の説明において、報知手段はどのような形態でもよく、上述のように放電灯の点滅に限らず、ＬＥＤやブザーといった報知のための部品を具備し、これを動作させるようにしてもよい。
【００４３】
（実施形態５）
本実施形態は、実施形態４において、累積点灯時間が放電灯の定格寿命に達したことを報知できるようにしていたものを、照明装置そのものの寿命を報知できるようにしたものである。ただし、報知するために計時する時間は、初めて照明装置を動作し始めてからの点灯時間の総和である。
【００４４】
照度設定部１５は、初期照度補正機能における累積点灯時間の計時を行うと共に、共通のカウンタで点灯時間総和の計時を行う。この時間が所定時間以上になれば、これを報知できる状態にする。ここで、この所定時間は照明装置１０の寿命に値が設定されている。一般的に照明装置１０の内部には電源平滑用のための電解コンデンサを有していることが多く、この電解コンデンサの容量抜けによる寿命を照明装置１０の寿命とすることが多い。従って、ここで設定される寿命とは電解コンデンサの容量が抜ける時間とする。
【００４５】
また、報知は強制的に行うものではなく、使用者が所定の操作を行った時に行う。この所定の操作は、累積点灯時間のリセットと同じリセットスイッチ２２の操作であり、使用者は照明器具２０に具備されているリセットスイッチ２２を２秒未満でＯＮすることで報知する。
【００４６】
照度設定部１５は図１０に示すフローに従う。照明装置の寿命として、１００，０００時間に設定されているとする。照度設定部１５は、計時している点灯時間総和が１００，０００時間に達すると、報知を行うことができる状態に入る。この時に、使用者がリセットスイッチ２２を１秒間だけＯＮすると、照度設定部１５ではリセットスイッチ２２のＯＮを検出してからＯＦＦされるまでの時間を計測し、この時間が２秒未満であるので、報知Ｃの動作として照明器具２０が具備する放電灯２１を３回点滅させる。具体的には、インバータ制御回路１４へ出力している制御信号のデューティ比の所定の変化で実現される。以上の動作を図１１に示す。
【００４７】
照度設定部１５において、点灯時間総和Ｔｓは累積点灯時間Ｔとは異なるタイマ変数に格納しておく。よって、放電灯の寿命判定のための累積点灯時間Ｔのリセットを行っても、照明装置の寿命判定のための点灯時間総和Ｔｓはリセットされない。ただし、両方の計時は照度設定部１５が有するマイコンで行われるので、タイマ変数が別々に設けられていれば、通電時間を計測するためのカウンタ（カウントソース）については共通でよい。また、点灯時間総和は、累積点灯時間と同様に、照明設定部１５の記憶装置（マイコンの内蔵または外付けのＥＥＰＲＯＭなどの不揮発メモリ）で記憶し、電源再投入後は読み出した点灯時間総和から計時を再開する。
【００４８】
以上の説明において、報知手段はどのような形態でもよく、上述のように放電灯の点滅に限らず、ＬＥＤやブザーといった報知のための部品を具備し、これを動作させるようにしてもよい。
【００４９】
本発明は、以上に説明した各実施形態を適宜組み合わせて実施してもよく、各々の効果を生じるものである。
【図面の簡単な説明】
【００５０】
【図１】本発明の実施形態１の構成を示すブロック図である。
【図２】本発明の実施形態１の動作を示すフローチャートである。
【図３】本発明の実施形態１の動作説明図である。
【図４】本発明の実施形態２の動作を示すフローチャートである。
【図５】本発明の実施形態２の動作説明図である。
【図６】本発明の実施形態３の動作を示すフローチャートである。
【図７】本発明の実施形態３の動作説明図である。
【図８】本発明の実施形態４の動作を示すフローチャートである。
【図９】本発明の実施形態４の動作説明図である。
【図１０】本発明の実施形態５の動作を示すフローチャートである。
【図１１】本発明の実施形態５の動作説明図である。
【図１２】従来例１の構成を示すブロック図である。
【図１３】従来例１の動作説明図である。
【図１４】従来例２の構成を示すブロック図である。
【符号の説明】
【００５１】
１３    インバータ回路
１４    インバータ制御回路
１５    照度設定部
２１    放電灯
２２    リセットスイッチ
【図１】
2006294383.tif 000003
【図２】
2006294383.tif 000004
【図３】
2006294383.tif 000005
【図４】
2006294383.tif 000006
【図５】
2006294383.tif 000007
【図６】
2006294383.tif 000008
【図７】
2006294383.tif 000009
【図８】
2006294383.tif 000010
【図９】
2006294383.tif 000011
【図１０】
2006294383.tif 000012
【図１１】
2006294383.tif 000013
【図１２】
2006294383.tif 000014
【図１３】
2006294383.tif 000015
【図１４】
2006294383.tif 000016